(57)【要約】【課題】パンタグラフ機構の伸縮動作に連動して、装飾部材を傾かせるとともに、パンタグラフ機構の一連の動作による装飾部材、特に、長孔への負荷を軽減させる。【解決手段】本発明の演出用役物装置１０は、遊技盤１００の盤面上を移動可能な装飾部材１２を備え、装飾部材１２を構成する基盤７１には、第１の長孔７３及び第２の長孔７４と、第３のラックギヤ７６と、第３の長孔７５とが設けられ、第１の長孔７３及び第３の長孔７５が屈曲形状をなして形成され、パンタグラフ機構４０の伸縮動作に連動して第４の連結部５４及び第５の連結部５５が第１の長孔７３及び第２の長孔７４を往復移動するとともに、第３のラックギヤ７６の他端が第３の長孔７５を往復移動することで、基盤７１及び基盤７１を覆う装飾部７２が遊技盤１００の盤面上で往復移動するとともに、この往復移動に連動して斜倒するように構成されている。【選択図】図７Ａ
2011229579.tif 000002
【特許請求の範囲】
【請求項１】
遊技機の遊技盤に設けられた演出用役物装置であって、
駆動源と、
前記駆動源に係合して配置され、前記駆動源の駆動に起因して一方向に往復移動する往復動機構と、
前記往復動機構に係合して配置され、前記往復動機構の動作に連動して、前記往復動機構の一方向に対して直交方向に伸縮するパンタグラフ機構と、
前記パンタグラフ機構に係合して配置され、前記パンタグラフ機構の伸縮動作に連動して可動する装飾部材と、を少なくとも備え、
前記装飾部材を構成する基盤には、前記パンタグラフ機構との連結部である二つの連結部を摺動可能に支持する第１及び第２の長孔と、
二つの前記連結部うち、一方の前記連結部に連結して配置され、前記パンタグラフ機構の伸縮動作に連動して往復移動する棒状部材と、
前記棒状部材の他端を摺動可能に支持する第３の長孔と、が設けられるととともに、前記第１及び第２の長孔の一方と、前記第３の長孔と、が屈曲形状をなして形成され、
前記パンタグラフ機構の伸縮動作に連動して二つの前記連結部が前記第１及び第２の長孔を往復移動するとともに、前記棒状部材の他端が前記第３の長孔を往復移動することで、前記基盤及び該基盤を覆う装飾部が前記遊技盤の盤面上で往復移動するとともに、この往復移動に連動して斜倒すること、
を特徴とする演出用役物装置。
【請求項２】
前記基盤を覆う装飾部は、前記基盤が前記遊技盤の盤面上を往復移動する初動動作に対して異なるタイミングで斜倒すること、
を特徴とする請求項１記載の演出用役物装置。
【請求項３】
前記往復動機構は、同方向に沿って互いに対向して配置され、互いに逆方向に往復動可能な第１及び第２のラックギヤと、
前記第１及び第２のラックギヤの間に配置され、前記第１及び第２のラックギヤを互いに逆方向に伝動する少なくとも一つの歯車と、有し、
前記パンタグラフ機構は、前記第１及び第２のラックギヤのそれぞれに連結して配置され、前記第１及び第２のラックギヤの何れか一方の動作に連動して伸縮動作を可能とすること、
を特徴とする請求項１記載の演出用役物装置。
【請求項４】
前記パンタグラフ機構は、複数のリンク部材を備え、複数の前記リンク部材のうち、二つの前記リンク部材が交差して互いに回動可能に連結された複数の対リンクを有し、
複数の前記対リンクうち、前記往復動機構に係合される前記対リンクの一方の前記リンク部材が前記第１のラックギヤに回動可能に連結されるとともに、前記対リンクの他方の前記リンク部材が前記第２ラックギヤに回動可能に連結され、
複数の前記対リンクのうち、前記装飾部材に係合される前記対リンクの一方の前記リンク部材が前記第１の長孔に摺動可能に支持されるとともに、他方の前記リンク部材が前記第２の長孔に摺動可能に支持され、
前記第１及び第２のラックギヤの何れか一方の動作に連動して、複数の前記対リンクがそれぞれ連動してパンタグラフ機構の伸縮動作を可能とすること、
を特徴とする請求項１又は３記載の演出用役物装置。
【請求項５】
前記装飾部材には、前記棒状部材である第３のラックギヤに噛合して配置され、前記第３のラックギヤの往復移動を加勢する歯車を備えたこと、
を特徴とする請求項１記載の演出用役物装置。
【請求項６】
前記第１及び第２の連結部には、前記第１及び第２の長孔を摺動する摺動ローラを備えたこと、
を特徴とする請求項１記載の演出用役物装置。
【請求項７】
前記駆動源は、モータと、
前記モータの駆動軸に設けられ、前記モータの駆動に起因して回転する第１の歯車と、
前記第１の歯車に噛合して配置され、前記第１の歯車に連動して回転する第２の歯車と、を具備すること、
を特徴とする請求項１記載の演出用役物装置。
【発明の詳細な説明】
【技術分野】
【０００１】
本発明は、遊技機の遊技盤に設けられた演出用役物装置に関する。
【背景技術】
【０００２】
従来、遊技機の遊技盤面には、演出用役物と称される装飾部材を備えた演出用役物装置が配置されている。この演出用役物装置には、例えば、装飾部材を遊技盤の盤面上で移動させて遊技性を向上させるものが知られている。
【０００３】
このような演出用役物装置は、遊技盤の盤面上で装飾部材を移動させる際、装飾部材を直線状に移動させるものが一般的である。近年、演出用役物装置には、単に、直線状に移動させるだけではなく、装飾部材の移動に合わせて、円弧状に移動させたり、傾かせて移動させたりすることが可能なものが求められている。
【０００４】
例えば、特許文献１には、パンタグラフ機構の基端に位置する一方の端部を回動部材に連結することで、装飾部材の移動に合わせて円弧運動と直線運動とが混ざった複雑な動作をする遊技用演出部材の可動機構に関する技術が開示されている。
【先行技術文献】
【特許文献】
【０００５】
【特許文献１】特開２００９−２９７２５８号公報
【発明の概要】
【発明が解決しようとする課題】
【０００６】
ところで、上記特許文献１は、装飾部材を移動させるために、装飾部材にパンタグラフ機構との連結部を往復移動させる長孔を設け、この長孔内でパンタグラフ機構との連結部を往復移動させている。このため、上記特許文献１では、パンタグラフ機構の一連の動作による負荷が長孔に集中してしまい、長孔を破損させてしまうという技術的課題がある。
【０００７】
また、上記特許文献１は、上述したように、装飾部材を移動させる際、装飾部材の移動に合わせて円弧運動と直線運動とが混ざった複雑な動作をさせるものであるが、装飾部材を傾かせる点については考慮されていない。
【０００８】
本発明の目的は、上記従来の実状を鑑みて、パンタグラフ機構の伸縮動作に連動して、装飾部材を傾かせることが可能であるとともに、パンタグラフ機構の一連の動作による装飾部材、特に、長孔への負荷を軽減させることが可能な演出用役物装置を提供することにある。
【課題を解決するための手段】
【０００９】
上記課題を解決するために、本発明に係る演出用役物装置は、遊技機の遊技盤に設けられ、駆動源と、上記駆動源に係合して配置され、上記駆動源の駆動に起因して一方向に往復移動する往復動機構と、上記往復動機構に係合して配置され、上記往復動機構の動作に連動して、上記往復動機構の一方向に対して直交方向に伸縮するパンタグラフ機構と、上記パンタグラフ機構に係合して配置され、上記パンタグラフ機構の伸縮動作に連動して可動する装飾部材と、を少なくとも備え、上記装飾部材を構成する基盤には、上記パンタグラフ機構との連結部である二つの連結部を摺動可能に支持する第１及び第２の長孔と、二つの上記連結部うち、一方の上記連結部に連結して配置され、上記パンタグラフ機構の伸縮動作に連動して往復移動する棒状部材と、上記棒状部材の他端を摺動可能に支持する第３の長孔と、が設けられるととともに、上記第１及び第２の長孔の一方と、上記第３の長孔と、が屈曲形状をなして形成され、上記パンタグラフ機構の伸縮動作に連動して二つの上記連結部が上記第１及び第２の長孔を往復移動するとともに、上記棒状部材の他端が上記第３の長孔を往復移動することで、上記基盤及びこの基盤を覆う装飾部が上記遊技盤の盤面上で往復移動するとともに、この往復移動に連動して斜倒するように構成されている。
【発明の効果】
【００１０】
本発明によれば、パンタグラフ機構の伸縮動作に連動して、装飾部材を傾かせることが可能であるとともに、パンタグラフ機構の一連の動作による装飾部材、特に、長孔への負荷を軽減させることが可能な演出用役物装置を提供することができる。
【図面の簡単な説明】
【００１１】
【図１Ａ】本発明の一実施の形態である演出用役物装置を備えた遊技盤の第１の状態の構成を模式的に示す正面図である。
【図１Ｂ】本発明の一実施の形態である演出用役物装置を備えた遊技盤の第２の状態の構成を模式的に示す正面図である。
【図２】本発明の一実施の形態である演出用役物装置の表面側の構成を模式的に示す斜視図である。
【図３】本発明の一実施の形態である演出用役物装置の裏面側の構成を模式的に示す斜視図である。
【図４】本発明の一実施の形態である演出用役物装置の分解した状態の構成を模式的に示す分解斜視図である。
【図５Ａ】本発明の一実施の形態である演出用役物装置の内部構成の第１の状態を表面側から模式的に示す正面図である。
【図５Ｂ】本発明の一実施の形態である演出用役物装置の内部構成の第１の状態と第２の状態との間の状態を表面側から模式的に示す正面図である。
【図５Ｃ】本発明の一実施の形態である演出用役物装置の内部構成の第２の状態を表面側から模式的に示す正面図である。
【図６Ａ】本発明の一実施の形態である演出用役物装置の内部構成の第１の状態を裏面側から模式的に示す背面図である。
【図６Ｂ】本発明の一実施の形態である演出用役物装置の内部構成の第１の状態と第２の状態との間の状態を裏面側から模式的に示す背面図である。
【図６Ｃ】本発明の一実施の形態である演出用役物装置の内部構成の第２の状態を裏面側から模式的に示す背面図である。
【図７Ａ】本発明の一実施の形態である演出用役物装置の装飾部材に係る内部構成の第１の状態を模式的に示す正面図である。
【図７Ｂ】本発明の一実施の形態である演出用役物装置の装飾部材に係る内部構成の第１の状態と第２の状態との間の状態を模式的に示す正面図である。
【図７Ｃ】本発明の一実施の形態である演出用役物装置の装飾部材に係る内部構成の第２の状態を模式的に示す正面図である。
【図８Ａ】本発明の一実施の形態である演出用役物装置の第１の状態を表面側から模式的に示す正面図である。
【図８Ｂ】本発明の一実施の形態である演出用役物装置の第１の状態と第２の状態との間の状態を表面側から模式的に示す正面図である。
【図８Ｃ】本発明の一実施の形態である演出用役物装置の第２の状態を表面側から模式的に示す正面図である。
【図９Ａ】本発明の一実施の形態である演出用役物装置の第１の状態を裏面側から模式的に示す背面図である。
【図９Ｂ】本発明の一実施の形態である演出用役物装置の第１の状態と第２の状態との間の状態を裏面側から模式的に示す背面図である。
【図９Ｃ】本発明の一実施の形態である演出用役物装置の第２の状態を裏面側から模式的に示す背面図である。
【発明を実施するための形態】
【００１２】
以下、図面を参照しながら、本発明の実施の形態について詳細に説明する。なお、遊技機には、例えば、パチンコ遊技機、アレンジボール機又は雀球遊技機等があるが、本発明の実施の形態１では、一例として、パチンコ遊技機に基づいて説明する。
【００１３】
（実施の形態１）
まず、本発明の一実施の形態である遊技機の遊技盤１００に係る構成について図１Ａ及び図１Ｂを用いて説明する。図１Ａは、本発明の一実施の形態である演出用役物装置１０を備えた遊技盤１００の第１の状態の構成を模式的に示す正面図であり、図１Ｂは、本発明の一実施の形態である演出用役物装置１０を備えた遊技盤１００の第２の状態の構成を模式的に示す正面図である。
【００１４】
図１Ａ及び図１Ｂに例示されるように、本実施の形態において、遊技機は、入賞装置、風車、障害釘等の遊技部品が配置された遊技領域１０１を有する遊技盤１００を備えて構成されている。
【００１５】
遊技盤１００は、遊技機を遊技場に設置する際、設置面に対して略垂直に立設するようにして図示しない遊技盤保持枠に固定されている。すなわち、遊技盤１００の表面（以下、遊技面１０２という。）は、図示しない透過部材を介して遊技者に対面するように配置されている。
【００１６】
本実施の形態において、遊技盤１００は、木材等を用いて平板状に形成され、上述したように、遊技面１０２に入賞装置、風車、障害釘等の遊技部品を配設してなる遊技領域１０１を有して構成されている。
【００１７】
遊技面１０２には、図示しない発射装置により発射された遊技球を遊技領域１０１に案内する役目を果たし、遊技領域１０１を囲うように、遊技面１０２に対して垂直に起立して配置された帯状の外ガイドレール１０３が設けられている。
【００１８】
外ガイドレール１０３は、遊技面１０２を正面視すると左側下方から右側上方にかけて遊技領域１０１を囲うように配置されている。具体的には、外ガイドレール１０３の一端１０３ａが、遊技面１０２を正面視すると左側下方に配置され、他端１０３ｂが、遊技面１０２の右側上方に配置されている。そして、外ガイドレール１０３は、外ガイドレール１０３を可撓させて一端１０３ａから他端１０３ｂまで円弧を描くように湾曲して配置されている。
【００１９】
本実施の形態において、外ガイドレール１０３の材質は、プラスチック製素材を用いて形成されている。なお、外ガイドレール１０３の材質は、プラスチック製素材に限定されず、例えば、金属性素材等を用いて形成しても良い。
【００２０】
外ガイドレール１０３の他端１０３ｂの近傍には、遊技面１０２を飾りつける飾り部材１０４が配置されている。この飾り部材１０４は、遊技面１０ａを正面視すると上方から下方に向かって遊技面１０２に対して垂直に起立する起立面１０４ａを有して構成されている。
【００２１】
飾り部材１０４の起立面１０４ａは、この起立面１０４ａの上方に位置する外ガイドレール１０３の他端１０３ｂに連設して配置されている。そして、飾り部材１０４の起立面１０４ａの高さは、外ガイドレール１０３の起立高さと同じ高さで形成されている。すなわち、飾り部材１０４の起立面１０４ａは、外ガイドレール１０３と同様に、遊技領域１０１を囲うように配置されている。
【００２２】
飾り部材１０４の下方には、遊技状況を表示する表示装置１０５が配置されている。表示装置１０５は、遊技面１０２から突出して配置されており、遊技面１０２を正面視すると右側から中心側に向けて下方に傾斜させた直線状の傾斜面１０６を有して構成されている。
【００２３】
表示装置１０５の傾斜面１０６は、この傾斜面１０６の他端１０６ａが、遊技面１０２を正面視すると傾斜面１０６の右側に位置する表示装置１０５の飾り部材１０４の図示しない他端に連設して配置されている。
【００２４】
一方、傾斜面１０６の一端１０６ｂが、後述する内ガイドレール１０７の一端１０７ａに連接して配置されている。そして、傾斜面１０６の高さは、起立面１０４ａの起立高さと同じ高さで形成されている。すなわち、傾斜面１０６は、起立面１０４ａと同様に、遊技領域１０１を囲うように配置されている。
【００２５】
なお、本実施の形態において、表示装置１０５の位置については、遊技面１０２を正面視すると右側下方に配置されているが、この位置に限定されず、例えば、中央下方等に配置しても良い。この場合、表示装置１０５の傾斜面１０６の代わりに、第２の飾り部材を設け、この第２の飾り部材は、表示装置１０５と同様に、傾斜面を有して構成されている。
【００２６】
また、遊技面１０２には、外ガイドレール１０３と共に、図示しない発射装置により発射された遊技球を遊技領域１０１に案内する役目を果たし、外ガイドレール１０３と同様に、遊技領域１０１を囲うように、遊技面１０２に対して垂直に起立して配置された帯状の内ガイドレール１０７が設けられている。
【００２７】
本実施の形態において、内ガイドレール１０７の材質も、内ガイドレール１０７の材質と同様に、プラスチック製素材を用いて形成されている。なお、内ガイドレール１０７の材質も、プラスチック製素材に限定されず、例えば、金属性素材等を用いて形成しても良い。
【００２８】
内ガイドレール１０７は、遊技面１０２を正面視すると、外ガイドレール１０３の内側に配置され、中央下方から左側上方にかけて遊技領域１０１を囲うように配置されている。具体的には、内ガイドレール１０７の一端１０７ａが、遊技面１０２を正面視すると中央下方に配置され、他端１０７ｂが遊技面１０２の左側上方に配置されている。そして、内ガイドレール１０７は、内ガイドレール１０７を可撓させて一端１０７ａから他端１０７ｂまで円弧を描くように湾曲して配置されている。
【００２９】
内ガイドレール１０７は、上述したように、内ガイドレール１０７の一端１０７ａが、遊技領域１０１を正面視すると中央下方に配置されているが、この一端１０７ａは、遊技面１０２の軸よりも右側に配置されており、一端１０７ａから遊技面１０２の軸に向かって下方に傾斜しながら時計回り方向に緩やかに湾曲して配置されている。
【００３０】
すなわち、内ガイドレール１０７は、遊技面１０２の軸上において、最も下方に位置すると共に、この位置から他端１０７ｂに向かって上方に傾斜しながら時計回り方向に緩やかに湾曲して配置されている。
【００３１】
このように、外ガイドレール１０３の内側に内ガイドレール１０７が配置され、これら外ガイドレール１０３及び内ガイドレール１０７は、所定の間隔を保って互いに対向して配置されている。そして、外ガイドレール１０３及び内ガイドレール１０７の間には、遊技球が通過可能なガイド通路１０８が区画されている。
【００３２】
ガイド通路１０８は、上述したように、外ガイドレール１０３及び内ガイドレール１０７の間に区画されている。そして、ガイド通路１０８は、図示しない接続通路を介して図示しない発射装置に連接されている。
【００３３】
すなわち、ガイド通路１０８は、発射装置により発射された遊技球が接続通路を通過した後、ガイド通路１０８を通過することで、遊技球が遊技面１０２の左側下方から左側上方に向かって飛び出すように区画されている。
【００３４】
このように、遊技面１０２には、外ガイドレール１０３、飾り部材１０４、表示装置１０５、内ガイドレール１０７が連続して、互いに連接して配置されることで、ガイド通路１０８及び遊技領域１０１が隣接した状態で囲繞形成されている。
【００３５】
遊技領域１０１には、遊技の演出を行う演出装置が配置されている。具体的には、遊技領域１０１の中央部分には、液晶表示器（ＬＣＤ）等からなる図示しない液晶表示装置が配置されている。
【００３６】
そして、液晶表示装置の周辺には、液晶表示装置を囲うように複数の演出用役物装置が配置されている。本実施の形態において、これら複数の演出用役物装置のうち、液晶表示装置の右方に配置された演出用役物装置１０は、装飾部材１２を遊技盤１００の右方に配置した状態、すなわち、初期位置である第１の状態と、この第１の状態から遊技盤１００の略中央に配置した第２の状態とに移動可能に支持して構成されている。また、この演出用役物装置１０は、第１の状態及び第２の状態に限定されず、例えば、第１の状態と第２の状態との間の位置で停止させることも可能である。
【００３７】
以下、本実施の形態の演出用役物装置１０の構成について、図２〜図４を用いて説明する。図２は、本発明の一実施の形態である演出用役物装置１０の表面側の構成を模式的に示す斜視図であり、図３は、本発明の一実施の形態である演出用役物装置１０の裏面側の構成を模式的に示す斜視図であり、図４は、本発明の一実施の形態である演出用役物装置１０の分解した状態の構成を模式的に示す分解斜視図である。
【００３８】
図２〜図４に例示されるように、本実施の形態の演出用役物装置１０は、駆動源２０と、この駆動源２０の駆動に起因して一方向に往復動する往復動機構３０と、この往復動機構３０の動作に連動して、往復動機構３０の一方向に対して直交方向に伸縮するパンタグラフ機構４０と、パンタグラフ機構４０の動作に連動して遊技盤１００の盤面上を移動する装飾部材１２とを備えて構成されている。これら、駆動源２０、往復動機構３０、パンタグラフ機構４０及び装飾部材１２は、ケース体１１に収容されている。
【００３９】
ケース体１１は、このケース体１１の裏面が遊技盤１００に当接して設けられている。そして、ケース体１１は、略矩形状をなして形成されており、ケース体１１の長手方向が遊技盤１００の上下方向に沿って配置されている。
【００４０】
次に、本実施の形態の演出用役物装置１０の駆動源２０、往復動機構３０及びパンタグラフ機構４０について、図５Ａ〜図６Ｃを用いて説明する。図５Ａは、本発明の一実施の形態である演出用役物装置１０の内部構成の第１の状態を表面側から模式的に示す正面図であり、図５Ｂは、本発明の一実施の形態である演出用役物装置１０の内部構成の第１の状態と第２の状態との間の状態を表面側から模式的に示す正面図であり、図５Ｃは、本発明の一実施の形態である演出用役物装置１０の内部構成の第２の状態を表面側から模式的に示す正面図である。
【００４１】
また、図６Ａは、本発明の一実施の形態である演出用役物装置１０の内部構成の第１の状態を裏面側から模式的に示す背面図であり、図６Ｂは、本発明の一実施の形態である演出用役物装置１０の内部構成の第１の状態と第２の状態との間の状態を裏面側から模式的に示す背面図であり、図６Ｃは、本発明の一実施の形態である演出用役物装置の内部構成の第２の状態を裏面側から模式的に示す背面図である。
【００４２】
図５Ａ〜図６Ｃに例示されるように、駆動源２０は、モータ２１と、このモータ２１の駆動軸に設けられ、モータ２１の駆動に起因して回転する第２の歯車２２と、第２の歯車２２に噛合して配置され、第２の歯車２２に連動して回転する第３の歯車２３とを備えて構成されている。
【００４３】
モータ２１は、ケース体１１の裏面側に設けられ、ケース体１１の最上部に配置されている。また、モータ２１は、このモータ２１の駆動軸をケース体１１の孔に挿通させてケース体１１の表面側に突出させた状態でケース体１１に設けられている。そして、ケース体１１の裏面側から表面側に突出したモータ２１の駆動軸には、第２の歯車２２が連結されている。
【００４４】
第２の歯車２２は、ケース体１１の表面側に設けられ、ケース体１１の最上部に配置されている。すなわち、モータ２１と第２の歯車２２とは、ケース体１１を挟んで互いに対向して配置されている。そして、第２の歯車２２は、上述したように、モータ２１の駆動軸に連結されている。
【００４５】
このように、第２の歯車２２は、モータ２１の駆動軸に連結されることで、モータ２１の駆動に起因して回転可能に設けられている。また、第２の歯車２２には、上述したように、第３の歯車２３が噛合して配置されている。このため、第２の歯車２２は、第３の歯車２３に回転力を伝動可能に設けられている。
【００４６】
第３の歯車２３は、第２の歯車２２と同様にケース体１１の表面側に設けられ、第２の歯車２２の下方に配置されている。すなわち、第３の歯車２３は、上述したように、第２の歯車２２に噛合して配置されている。また、第３の歯車２３は、第２の歯車２２に噛合して配置されるとともに、後述する往復動機構３０の第１のラックギヤ３１に噛合して配置されている。
【００４７】
このように、第３の歯車２３は、第２の歯車２２に噛合して配置されることで、第２の歯車２２の回転に連動して回転可能に設けられている。また、第３の歯車２３には、後述する往復動機構３０を構成する第１のラックギヤ３１の第１の噛合部３２が噛合して配置されている。このため、第３の歯車２３は、第１のラックギヤ３１に動力を伝動可能に設けられている。
【００４８】
なお、本実施の形態の駆動源２０は、第２の歯車２２である駆動歯車の他に、第３の歯車２３である従動歯車を備えて構成されているが、従動歯車の数は特に限定されず、また、第２の歯車２２に後述する第１のラックギヤ３１の第１の噛合部３２を噛合させても良い。
【００４９】
往復動機構３０は、同方向に沿って互いに対向して配置され、互いに逆方向に往復動可能な第１のラックギヤ３１及び第２のラックギヤ３４と、これら第１のラックギヤ３１及び第２のラックギヤ３４の間に配置され、第１のラックギヤ３１及び第２のラックギヤ３４を互いに逆方向に伝動する小歯車３９とを備えて構成されている。
【００５０】
第１のラックギヤ３１は、ケース体１１の表面側に設けられ、ケース体１１の上下方向に沿って配置されている。この第１のラックギヤ３１は、略棒形状をなして形成されており、第１のラックギヤ３１の一端には、第３の歯車２３と噛合する第１の噛合部３２が形成され、他端には、小歯車３９と噛合する第２の噛合部３３が形成されている。
【００５１】
すなわち、第１のラックギヤ３１は、第３の歯車２３の回転に連動して上下方向に沿って往復移動することで、第３の歯車２３から受けた動力を小歯車３９に伝動している。小歯車３９は、上述したように、第１のラックギヤ３１及び第２のラックギヤ３４の間に配置されている。そして、小歯車３９は、第１のラックギヤ３１の第２の噛合部３３及び第２のラックギヤ３４の噛合部３５に噛合して配置されている。
【００５２】
このように、第１のラックギヤ３１は、第３の歯車２３の回転に連動して、遊技盤１００の上下方向に沿って往復移動することで、小歯車３９が回転し、後述するパンタグラフ機構４０の伸縮動作を可能にしている。
【００５３】
第２のラックギヤ３４は、第１のラックギヤ３１と同様に、ケース体１１の表面側に設けられ、ケース体１１の上下方向に沿って配置されている。また、第２のラックギヤ３４は、上述したように、第１のラックギヤ３１に対向して配置されている。
【００５４】
この第２のラックギヤ３４は、略棒形状をなして形成されており、第２のラックギヤ３４の第１のラックギヤ３１と対向する対向面側には、小歯車３９と噛合する噛合部３５が形成されている。
【００５５】
本実施の形態において、第２のラックギヤ３４は、ケース体１１に固着されている。すなわち、第２のラックギヤ３４は、この第２のラックギヤ３４の噛合部３５上で、小歯車３９を転動可能に設けられている。
【００５６】
このように、第２のラックギヤ３４は、第１のラックギヤ３１に対向して配置されるとともに、第１のラックギヤ３１とともに小歯車３９に噛合して配置されることで、小歯車３９を噛合部３５上で転動させて、第１のラックギヤ３１を往復移動可能に設けられている。
【００５７】
したがって、本実施の形態の往復動機構３０は、第１のラックギヤ３１と第２のラックギヤ３４とが、同方向に沿って互いに対向して配置され、第１のラックギヤ３１の動作に連動してパンタグラフ機構４０の伸縮動作を可能にしている。
【００５８】
これにより、これら第１のラックギヤ３１及び第２のラックギヤ３４に連結された後述するパンタグラフ機構４０の連結部（第１の連結部５１及び第２の連結部５２）の直線移動を可能にしている。したがって、パンタグラフ機構４０の連結部が曲線移動するよりも、効率よくパンタグラフ機構４０に駆動源２０の駆動力を伝達することができる。
【００５９】
なお、本実施の形態の第２のラックギヤ３４は、ケース体１１に固定されているが、例えば、小歯車３９を固定させて、第２のラックギヤ３４をケース体１１に往復移動可能に設けても良い。
【００６０】
パンタグラフ機構４０は、ケース体１１の表面側に設けられ、ケース体１１の軸方向（本実施の形態では、上下方向。）に対して直交方向に伸縮するように配置されている。具体的には、パンタグラフ機構４０は、複数のリンク部材４１、リンク部材４２を有し、このリンク部材４１、リンク部材４２を一対づつ（本実施の形態では二対。）回動可能に連結して構成されている（第６の連結部５６）。
【００６１】
そして、パンタグラフ機構４０は、リンク部材４１，リンク部材４２を回動可能に連結して構成された複数の対リンク（本実施の形態では二対。）がそれぞれ回動可能に連結して構成されている（第３の連結部５３）。
交差させ、この交差部を回動可能に連結して構成されている（第６の連結部５６）。
【００６２】
本実施の形態において、複数のリンク部材４１のうち、往復動機構３０側に配置されたリンク部材４１の一端は、第１のラックギヤ３１に回動可能に連結されている（第１の連結部５１）。
【００６３】
一方、複数のリンク部材４２のうち、往復動機構３０側に配置されたリンク部材４２の一端は、第２のラックギヤ３４に回動可能に連結されている（第２の連結部５２）。すなわち、第１のラックギヤ３１がケース体１１の上下方向に沿って往復移動することで、第１の連結部５１が上下方向に沿って移動する。そして、第１の連結部５１が上下方向に沿って移動することで、これに連動してリンク部材４１，リンク部材４２の交差角度が鋭角になり、パンタグラフ機構４０の伸縮動作を可能にしている。
【００６４】
また、複数のリンク部材４１のうち、後述する装飾部材１２側に配置されたリンク部材４１の一端には、装飾部材１２の基盤７１に設けられた第２の長孔７４に摺動可能に支持された第５の連結部５５が設けられている。そして、この第５の連結部５５には、第３のラックギヤ７６が連結されている。
【００６５】
一方、複数のリンク部材４２のうち、後述する装飾部材１２側に配置されたリンク部材４２の一端には、装飾部材１２の基盤７１に設けられた第１の長孔７３に摺動可能に支持された第４の連結部５４が設けられている。
【００６６】
これら第４の連結部５４及び第５の連結部５５は、上述したように、装飾部材１２の第１の長孔７３及び第２の長孔７４に摺動可能に設けられている。すなわち、往復動機構３０がケース体１１の上下方向に沿って往復移動することで、第１の連結部５１が上下方向に沿って移動し、これに連動して、パンタグラフ機構４０の伸縮動作を可能にしているとともに、第４の連結部５４及び第５の連結部５５の往復移動を可能にしている。
【００６７】
このように、モータ２１の駆動力を往復動機構３０を介してパンタグラフ機構４０に伝達することで、モータ２１とパンタグラフ機構４０とを近設しなくても、モータ２１の駆動力を確実に伝えるとともに、遊技盤１００に演出用役物装置１０を設置する際、設置位置に制限されずに、少ないスペースで効率よく設置することができる。
【００６８】
また、パンタグラフ機構４０のリンク部材４１及びリンク部材４２に均一な力を伝えることで、モータ２１を高速回転させて、パンタグラフ機構４０をより速く伸縮させる場合、パンタグラフ機構４０の挙動を抑えることができる。また、モータ２１を停止させて、装飾部材１２を第１の状態と第２の状態との間で停止させる場合、パンタグラフ機構４０の挙動を抑えることができる。
【００６９】
よって、本実施の形態の演出用役物装置１０は、モータ２１の駆動力を往復動機構３０を介してパンタグラフ機構４０に伝達することで、モータ２１への負担を軽減させることができるとともに、装飾部材１２の移動速度及び移動距離を調節することができる。
【００７０】
次に、本実施の形態の演出用役物装置１０の主たる構成である装飾部材１２について、図４及び図７Ａ〜図７Ｃを用いて説明する。図７Ａは、本発明の一実施の形態である演出用役物装置１０の装飾部材１２に係る内部構成の第１の状態を模式的に示す正面図であり、図７Ｂは、本発明の一実施の形態である演出用役物装置１０の装飾部材１２に係る内部構成の第１の状態と第２の状態との間の状態を模式的に示す正面図であり、図７Ｃは、本発明の一実施の形態である演出用役物装置１０の装飾部材１２に係る内部構成の第２の状態を模式的に示す正面図である。
【００７１】
図４及び図７Ａ〜図７Ｃに例示されるように、本実施の形態の装飾部材１２の主たる構成である基盤７１には、パンタグラフ機構４０との連結部である第４の連結部５４及び第５の連結部５５を摺動可能に支持する第１の長孔７３及び第２の長孔７４が形成されている。また、基盤７１には、第３のラックギヤ７６（棒状部材）の端部を摺動可能に支持する第３の長孔７５が形成されている。この基盤７１には、基盤７１を覆うように配置され、提灯状をなして形成された装飾部７２が設けられている。
【００７２】
本実施の形態において、第４の連結部５４を摺動可能に支持する第１の長孔７３は、基盤７１の上部側に設けられ、屈曲形状をなして形成されている。具体的には、第１の長孔７３は、直線状部と円弧状部とを有し、これら直線状部と円弧状部とが連通して構成されている。
【００７３】
第１の長孔７３は、上述したように、パンタグラフ機構４０との連結部である第４の連結部５４を摺動可能に支持している。すなわち、第１の長孔７３は、パンタグラフ機構４０の伸縮動作に連動して可動する第４の連結部５４の第１の長孔７３内での往復移動を可能にしている。
【００７４】
本実施の形態において、第４の連結部５４には、摺動ローラが設けられている。摺動ローラは、第４の連結部５４の外周に設けられ、この第４の連結部５４の外周を覆うように配置されている。摺動ローラの材質は、プラスチックなどの樹脂を用いて形成されている。このように、第４の連結部５４に摺動ローラを設けることで、第４の連結部５４の第１の長孔７３内での往復移動をよりスムーズにしている。
【００７５】
一方、第５の連結部５５を摺動可能に支持する第２の長孔７４は、基盤７１の下部側に設けられ、直軸形状をなして形成されている。第２の長孔７４は、上述したように、パンタグラフ機構４０との連結部である第５の連結部５５を摺動可能に支持している。すなわち、第２の長孔７４は、パンタグラフ機構４０の伸縮動作に連動して可動する第５の連結部５５の第２の長孔７４内での往復動作を可能にしている。
【００７６】
第２の長孔７４には、第１の長孔７３と同様に、摺動ローラが設けられている。摺動ローラは、第５の連結部５５の外周を覆って配置されている。摺動ローラの材質は、プラスチックなどの樹脂を用いて形成されている。このように、第５の連結部５５に摺動ローラを設けることで、第５の連結部５５の第２の長孔７４内での往復移動をよりスムーズにしている。
【００７７】
また、第５の連結部５５には、上述したように、棒状部材である第３のラックギヤ７６が連結されている。この第３のラックギヤ７６は、基盤７１の中央に設けられ、上下方向に沿って配置されている。
【００７８】
本実施の形態において、第３のラックギヤ７６は、一端、すなわち、パンタグラフ機構４０との連結部である第５の連結部５５が直軸状をなして形成された第２の長孔７４に摺動可能に設けられている。そして、第４の長孔７６の他端が基盤７１に屈曲状をなして形成された第３の長孔７５に摺動可能に設けられている。
【００７９】
この第３の長孔７５は、基盤７１の中央に設けられ、屈曲形状をなして形成されている。具体的には、第３の長孔７５は、第１の長孔７３と同様に、直線部と円弧状部とを有し、これら直線部と円弧状部とが連通して構成されている。
【００８０】
本実施の形態において、第１の長孔７３及び第３の長孔７５は、上述したように、屈曲形状をなして形成されている。そして、第１の長孔７３及び第３の長孔７５は、互いに点対称となるように配置されている。すなわち、第１の長孔７３及び第３の長孔７５は、直軸状部及び円弧状部が同じ長さで形成されている。
【００８１】
このように、第１の長孔７３及び第３の長孔７５が互いに点対称となるように配置され、同形状である屈曲形状をなして形成されることで、装飾部材１２がパンタグラフ機構４０の伸縮動作に連動して往復移動する際、装飾部材１２の基盤７１の上側を傾かせるように設定されている。
【００８２】
すなわち、本実施の形態の演出用役物装置１０の装飾部材１２は、パンタグラフ機構４０の伸縮方向に対しておじぎをしながら遊技盤１００の盤面上での往復移動を可能にしている。
【００８３】
したがって、本実施の形態の演出用役物装置１０は、パンタグラフ機構４０の伸縮動作に連動して装飾部材１２の遊技盤１００の盤面上での往復移動を可能にしているとともに、この往復移動に連動して斜倒可能にしている。
【００８４】
また、本実施の形態において、第１の長孔７３及び第３の長孔７５は、上述したように、直線部と円弧状部とを有している。このため、装飾部材１２が遊技盤１００の盤面上で往復移動する際の初動時には、第４の連結部５４及び第７の連結部５８が第１の長孔７３及び第３の長孔７５の直線部を摺動している。その後、第４の連結部５４及び第７の連結部５８が第１の長孔７３及び第３の長孔７５の円弧状部を摺動している。すなわち、本実施の形態の装飾部７２は、基盤７１が遊技盤１００の盤面上を往復移動する初動動作とは、異なるタイミングで傾くように設定されている。
【００８５】
また、基盤７１には、上述したように、第３のラックギヤ７６が配置されている。この第３のラックギヤ７６は、ケース体１１の軸方向に沿って配置されている。すなわち、第３のラックギヤ７６は、往復動機構３０の第１のラックギヤ３１及び第２のラックギヤ３４に対してほぼ同じ方向に沿って配置されている。
【００８６】
そして、第３のラックギヤ７６には、この第３のラックギヤ７６の噛合部に噛合して配置され、第３のラックギヤ７６の往復動を加勢する小歯車７７（歯車）が設けられている。この小歯車７７は、第３のラックギヤ７６の往復移動に連動して回転することで、第３のラックギヤ７６の往復移動を加勢している。
【００８７】
このように、パンタグラフ機構４０の伸縮動作に連動して装飾部材１２が移動する際、第５の連結部５５に連動して第３のラックギヤ７６の往復移動を加勢することで、第３のラックギヤ７６をよりスムーズに往復移動させることが可能になる。したがって、第１の長孔７３及び第２の長孔７４にかかる負荷を軽減することができる。
【００８８】
また、第３のラックギヤ７６は、パンタグラフ機構４０のリンク部材４２に固着して設けられ、ケース体１１の軸方向に沿って配置されることで、パンタグラフ機構４０の伸縮動作に連動してケース体１１の上下方向への往復移動を可能にしている。
【００８９】
これにより、これら第３のラックギヤ７６に連結されたパンタグラフ機構４０の第４の連結部５４及び第５の連結部５５の直線移動を可能にしている。したがって、パンタグラフ機構４０の連結部が曲線移動するよりも、効率よくパンタグラフ機構４０に駆動源２０の駆動力を伝達することができる。
【００９０】
また、本実施の形態では、パンタグラフ機構４０の延出先、すなわち、パンタグラフ機構４０の先端を第３のラックギヤ７６により支持することで、パンタグラフ機構４０の両端を支持している。したがって、パンタグラフ機構４０を延出させる際に生じるパンタグラフ機構４０の挙動を抑えることができる。
【００９１】
このとき、モータ２１を高速回転させて、パンタグラフ機構４０をより速く伸縮させる場合、パンタグラフ機構４０の挙動を抑えることができる。また、モータ２１を停止させて、装飾部材１２を第１の状態と第２の状態との間で停止させる場合、パンタグラフ機構４０の挙動を抑えることができる。
【００９２】
次に、本実施の形態の演出用役物装置１０の動作について、図８Ａ〜図９Ｃを用いて説明する。図８Ａは、本発明の一実施の形態である演出用役物装置１０の第１の状態を表面側から模式的に示す正面図であり、図８Ｂは、本発明の一実施の形態である演出用役物装置１０の第１の状態と第２の状態との間の状態を表面側から模式的に示す正面図であり、図８Ｃは、本発明の一実施の形態である演出用役物装置１０の第２の状態を表面側から模式的に示す正面図である。
【００９３】
また、図９Ａは、本発明の一実施の形態である演出用役物装置１０の第１の状態を裏面側から模式的に示す背面図であり、図９Ｂは、本発明の一実施の形態である演出用役物装置１０の第１の状態と第２の状態との間の状態を裏面側から模式的に示す背面図であり、図９Ｃは、本発明の一実施の形態である演出用役物装置１０の第２の状態を裏面側から模式的に示す背面図である。
【００９４】
図８Ａ〜図９Ｃに例示されるように、遊技の変化に応じてモータ２１が駆動すると、第２の歯車２２が反時計周り方向に回転する。これに伴い、第３の歯車２３が時計周り方向に回転する。そして、第３の歯車２３に噛合して配置された第１のラックギヤ３１が遊技盤１００の上下方向に沿って往復移動する。
【００９５】
第１のラックギヤ３１が遊技盤１００の上下方向に沿って往復移動することで、この往復移動に連動して、パンタグラフ機構４０が遊技盤１００の左右方向に伸縮する。また、パンタグラフ機構４０の伸縮動作に連動して、装飾部材１２の内部に設けられた第３のラックギヤ７６が往復移動する。
【００９６】
このとき、パンタグラフ機構４０の装飾部材１２側のリンク部材４２の端部、すなわち、第４の連結部５４は、装飾部材１２の基盤７１に形成された第１の長孔７３内を往復移動する。
【００９７】
また、パンタグラフ機構４０の装飾部材１２側のリンク部材４１の端部、すなわち、第３のラックギヤ７６の一端に連結された第５の連結部５５は、装飾部材１２の基盤７１に形成された第２の長孔７４内を往復移動する。
【００９８】
すなわち、第５の連結部５５に連結された第３のラックギヤ７６の一端も、装飾部材１２の基盤７１に形成された第２の長孔７４内を往復移動する。そして、第３のラックギヤ７６の他端は、装飾部材１２の基盤７１に形成された第３の長孔７５内を往復移動する。
【００９９】
このように、パンタグラフ機構４０の伸縮動作に連動して、装飾部材１２の基盤７１に形成された第１の長孔７３内、第２の長孔７４内及び第３の長孔７５内を第４の連結部５４、第５の連結部５５及び第３のラックギヤ７６が往復移動することで、装飾部材１２を遊技盤１００の盤面上を移動させることができるとともに、この移動に連動してパンタグラフ機構４０の延出方向に傾けることができる。
【０１００】
このとき、本実施の形態の第１の長孔７３及び第３の長孔７５は、直線部と円弧状部とを有して形成されている。このため、装飾部材１２が遊技盤１００の盤面上で往復移動する際の初動時には、第４の連結部５４及び第７の連結部５８が第１の長孔７３及び第３の長孔７５の直線部を摺動している。その後、第４の連結部５４及び第７の連結部５８が第１の長孔７３及び第３の長孔７５の円弧状部を摺動している。すなわち、本実施の形態では、装飾部７２を、基盤７１が遊技盤１００の盤面上を往復移動する初動動作とは、異なるタイミングで傾けることができる。
【０１０１】
また、パンタグラフ機構４０の伸縮動作に連動して装飾部材１２が移動する際、第４の連結部５４及び第５の連結部５５に連動して第３のラックギヤ７６が往復移動し、この第３のラックギヤ７６の往復移動を小歯車７７により加勢しているので、第１の長孔７３及び第２の長孔７４にかかる負荷を軽減することができる。
【０１０２】
本実施の形態の演出用役物装置１０は、モータ２１の駆動力を往復動機構３０を介してパンタグラフ機構４０に伝えることで、モータ２１を高速回転させて、装飾部材１２の移動速度を速めることができる。また、モータ２１を停止させて、装飾部材１２を止めることができる。すなわち、装飾部材１２の移動速度及び移動距離を調節することができる。
【０１０３】
このように、モータ２１の駆動力を往復動機構３０を介して、パンタグラフ機構４０に伝えることで、モータ２１への負担を軽減させることができる。また、モータ２１の駆動力を往復動機構３０を介してパンタグラフ機構４０に伝え、パンタグラフ機構４０に連動して装飾部材１２に設けられた第３のラックギヤ７６を往復移動させることで、装飾部材１２をよりスムーズに移動させることができる。
【符号の説明】
【０１０４】
１０      演出用役物装置
１１      ケース体
１２      装飾部材
２０      駆動源
２１      モータ
２２      第２の歯車
２３      第３の歯車
３０      第１の往復動機構
３１      第１のラックギヤ
３２      第１の噛合部
３３      第２の噛合部
３４      第２のラックギヤ
３５      噛合部
４０      パンタグラフ機構
４１      リンク部材
４２      リンク部材
５１      第１の連結部
５２      第２の連結部
５３      第３の連結部
５４      第４の連結部
５５      第５の連結部
５６      第６の連結部
７１      基盤
７２      装飾部
７３      第１の長孔
７４      第２の長孔
７５      第３の長孔
７６      第３のラックギヤ
７７      小歯車（歯車）
７８      第７の連結部
１００      遊技盤
１０１      遊技領域
１０２      遊技面
１０３      外ガイドレール
１０４      飾り部材
１０５      表示装置
１０６      傾斜面
１０７      内ガイドレール
１０８      ガイド通路
【図１Ａ】
2011229579.tif 000003
【図１Ｂ】
2011229579.tif 000004
【図２】
2011229579.tif 000005
【図３】
2011229579.tif 000006
【図４】
2011229579.tif 000007
【図５Ａ】
2011229579.tif 000008
【図５Ｂ】
2011229579.tif 000009
【図５Ｃ】
2011229579.tif 000010
【図６Ａ】
2011229579.tif 000011
【図６Ｂ】
2011229579.tif 000012
【図６Ｃ】
2011229579.tif 000013
【図７Ａ】
2011229579.tif 000014
【図７Ｂ】
2011229579.tif 000015
【図７Ｃ】
2011229579.tif 000016
【図８Ａ】
2011229579.tif 000017
【図８Ｂ】
2011229579.tif 000018
【図８Ｃ】
2011229579.tif 000019
【図９Ａ】
2011229579.tif 000020
【図９Ｂ】
2011229579.tif 000021
【図９Ｃ】
2011229579.tif 000022